(57)【要約】【課題】三人称視点ＶＲシステムを用いて三人称視点ＶＲを容易に体験できるようにする。【解決手段】頭部に装着した使用者１０に映像を見せる非透過型のヘッドマウントディスプレイ１１と、少なくともヘッドマウントディスプレイ１１を装着した使用者１０を含む動画を撮像するカメラ１２と、カメラ１２で撮像した動画をヘッドマウントディスプレイ１１に送る中継部１３とを備えた三人称視点ＶＲシステム１を用意する。中継部１３が、インターネット回線等の通信回線を利用してカメラ１２で撮像した動画をリアルタイムでヘッドマウントディスプレイ１１に送り出し、ヘッドマウントディスプレイ１１に映し出された自分自身の映像を見ながら使用者１０がアクティビティ等を行う。【選択図】図１
2020061118.tif 000002
【特許請求の範囲】
【請求項１】
頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法であって、
上記中継部は、インターネット回線等の通信回線を利用して上記撮像部で撮像した動画をリアルタイムで上記ヘッドマウントディスプレイに送り出し、
上記ヘッドマウントディスプレイに映し出された自分自身の映像を見ながら上記使用者がアクティビティを行う
ことを特徴とする三人称視点ＶＲシステムの使用方法。
【請求項２】
請求項１に記載の三人称視点ＶＲシステムの使用方法において、
上記撮像部は、複数設けられ、スイッチング機能により複数の撮像部のうちいずれかの撮像部による動画を上記ヘッドマウントディスプレイに映し出すように切り換える
ことを特徴とする三人称視点ＶＲシステムの使用方法。
【請求項３】
頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法であって、
上記中継部は、有線又は無線により、上記撮像部で撮像した動画をリアルタイムで上記ヘッドマウントディスプレイに送り出し、
上記ヘッドマウントディスプレイに映し出された自分自身の映像を見ながら上記使用者が瞑想を行う
ことを特徴とする三人称視点ＶＲシステムの使用方法。
【請求項４】
請求項３に記載の三人称視点ＶＲシステムの使用方法において、
上記使用者は、ゼロ磁場コイルと、該ゼロ磁場コイルに電気的に繋がる基板と、該ゼロ磁場コイル及び基板を覆うと共に該基板に電気的に繋がる金属製筐体とを有する特定周波数発生装置を握った状態で瞑想を行う
ことを特徴とする三人称視点ＶＲシステムの使用方法。
【請求項５】
頭部に装着した被施術者に映像を見せる非透過型のヘッドマウントディスプレイと、
少なくとも上記ヘッドマウントディスプレイを装着した被施術者を含む動画を撮像する撮像部と、
上記撮像部で撮像した動画を上記ヘッドマウントディスプレイに送る中継部とを備えた三人称視点ＶＲシステムであって、
上記中継部は、有線又は無線により、上記撮像部で撮像された施術中の上記被施術者の動画をリアルタイムで上記ヘッドマウントディスプレイに送り出すように構成されていることを特徴とする三人称視点ＶＲシステム。
【請求項６】
請求項１に記載の三人称視点ＶＲシステムの使用方法において、
複数の障害物、上記撮像部及び上記中継部が配置された部屋を準備し、
上記撮像部で上記部屋内を撮像した状態で、上記ヘッドマウントディスプレイを装着した少なくとも一人の使用者が該ヘッドマウントディスプレイに映し出された自分自身の映像を見ながら上記部屋のスタート地点からゴール地点まで移動する
ことを特徴とする三人称視点ＶＲシステムの使用方法。
【請求項７】
請求項１に記載の三人称視点ＶＲシステムの使用方法において、
上記撮像部及び上記中継部が配置された部屋を準備し、
上記撮像部で上記部屋内を撮像した状態で、上記ヘッドマウントディスプレイを装着した複数の使用者が該ヘッドマウントディスプレイに映し出された自分自身の映像を見た状態でコミュニケーションを取りながら協働で同じ作業を行う
ことを特徴とする三人称視点ＶＲシステムの使用方法。
【請求項８】
第１ＶＲ動画を撮像可能な第１カメラと、該第１ＶＲ動画を送信する第１通信部を有すると共に、頭部に装着した第１使用者に受信した映像を見せる非透過型の第１ヘッドマウントディスプレイと、
第２ＶＲ動画を撮像可能な第２カメラと、該第２ＶＲ動画を送信する通信部を有すると共に、頭部に装着した第２使用者に受信した映像を見せる非透過型の第２ヘッドマウントディスプレイとを準備し、
上記第２ＶＲ動画を中継部を介して第１ヘッドマウントディスプレイに表示する共に、上記第１ＶＲ動画を上記中継部を介して第２ヘッドマウントディスプレイに表示した状態で、
上記第１ヘッドマウントディスプレイを装着した上記第１使用者と、上記第２ヘッドマウントディスプレイを装着した上記第２使用者とが互いにコミュニケーションを取りながら、提示された共通の課題を行う
ことを特徴とする三人称視点ＶＲシステムの使用方法。
【発明の詳細な説明】
【技術分野】
【０００１】
本発明は、ＶＲ（Ｖｉｒｔｕａｌ  Ｒｅａｌｉｔｙ）技術を用いて自分自身を他者の視点で見る三人称視点ＶＲシステム及びその使用方法に関する。
【背景技術】
【０００２】
近年、ＶＲゲーム向けのヘッドマウントディスプレイ（ＨＭＤ）が発売されるようになり、ＶＲ技術は、様々な分野に応用されている。
【０００３】
例えば、特許文献１のように、仮想空間に配置されたオブジェクトを、仮想視点から観察したゲーム画像を表示するゲームシステムが知られている。
【０００４】
また一方で、例えば特許文献２のように、医療の現場において治療等を受ける患者に対して映像及び音声を再生し、プレパレーションに有効な種々のコンテンツ及び擬似体験を提供しつつ効率的な治療等を可能とする医療用ＶＲプレパレーションツールが知られている。
【０００５】
さらに、特許文献３のように、表示部に第１の撮像部が撮像するユーザ視点の第１の画像を表示する制御、又は表示部を透過する制御を行う第１の表示制御モードと、ユーザの後方に設けられた第２の撮像部が撮像する、ユーザの後頭部、頭頂部、及び背中のうち少なくともいずれかを画角に含む第２の画像を表示部に表示する制御を行う第２の表示制御モードとを有する表示制御部を有する情報処理装置が知られている。
【先行技術文献】
【特許文献】
【０００６】
【特許文献１】特許第６３９５０９８号公報
【特許文献２】特開２０１７−１８９５９１号公報
【特許文献３】特許第６０９４１９０号公報
【発明の概要】
【発明が解決しようとする課題】
【０００７】
しかしながら、従来のＶＲ技術では、仮想空間における自分を表すキャラクターを操作したり、予め用意したコンテンツを利用した擬似体験を行ったりすることはあるが、自分自身を第三者の視点で観察することは、あまり一般的に行われていない。
【０００８】
また、自分自身を自分の目で見たり、鏡を介して自分自身を見たり、録画した映像を介して自分自身を見ても、感じられるものには限界がある。
【０００９】
一方、特許文献３では、透過型のヘッドマウントディスプレイを用いた状態では、自分の目で見る映像がかなりの割合で含まれるので、実際には体外離脱視点（三人称視点）を感じることは難しい。
【００１０】
本発明は、かかる点に鑑みてなされたものであり、その目的とするところは、三人称視点ＶＲを容易に体験できるようにすることにある。
【課題を解決するための手段】
【００１１】
ところで、バーチャルリアリティの「バーチャル」は、仮想、虚構又は擬似と訳されることが多い。一方、バーチャル（Ｖｉｒｔｕａｌ）とは、The American HeritageDictionary によれば、「Existing in essenceor effect thoughnot in actual fact or form」と定義されている。つまり、「みかけや形は原物そのものではないが、本質的あるいは効果としては現実であり原物であること」であると理解できる。実質的な現実は、ヘッドマウントディスプレイがなくても、何のコンピュータ技術がなくても、そのまま意識の中に存在する。なぜなら、意識がそもそもＶＲ（実質的な現実）を処理する機構だからである。「ＶＲ」という言葉は、この「実質的な現実」という意味と、「ＶＲを感じさせる技術」の両方で、混同されて使われているので、本明細書では、前者を単にＶＲとし、後者をＶＲ技術（ＡＲ技術、ＭＲ技術等）という。
【００１２】
上記の目的を達成するために、第１の発明では、頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法を対象とする。
【００１３】
そして、上記中継部は、インターネット回線等の通信回線を利用して上記撮像部で撮像した動画をリアルタイムで上記ヘッドマウントディスプレイに送り出し、
上記ヘッドマウントディスプレイに映し出された自分自身の映像を見ながら上記使用者がアクティビティを行う構成とする。
【００１４】
すなわち、人間は、自分自身の目による視覚情報をもとに自分自身の体を感じながら自分自身を動かすことに慣れているが、上記の構成によると、非透過型のヘッドマウントディスプレイを装着しているので、自分自身の目を通してではなく、インターネット回線等の通信回線を介して中継される撮像部からの映像に基づいて自分自身の体を見て動かすことになる。撮像部（他者）の視点で自分自身を見ると、自分の目で見た自分や、鏡で見た自分とは異なって見える。また、他者の視点で自分自身を動かすことで、画面上のキャラクターを動かすのではなく、自分自身を動かすことに新鮮な感覚を味わえる。
【００１５】
ここで、「インターネット回線等の通信回線」とは、インターネット回線、無線ＬＡＮ回線、無線通信等をいう。特に、インターネットを介して中継することで、例えば、ヘッドマウントディスプレイにスマートフォンを内蔵させるような場合のように、ヘッドマウントディスプレイそのものに通信機能を持たせることでライブ中継が可能である。また、ヘッドマウントディスプレイの台数が増えてもインターネット中継を用いる場合には、無線ＬＡＮの場合に比べて、通信状態が悪化するようなことはない。さらに、インターネット中継による多少の時間差によってアクティビティを行う上で普段とは異なる感覚を味わえる。なお、「リアルタイムで」とは、通信等による時間差を含む意味である。
【００１６】
第２の発明では、第１の発明において、
上記撮像部は、複数設けられ、スイッチング機能により複数の撮像部のうちいずれかの撮像部による動画を上記ヘッドマウントディスプレイに映し出すように切り換える構成とする。
【００１７】
上記の構成によると、広範囲の撮影が可能となり、より充実したアクティビティを楽しむことができる。
【００１８】
第３の発明では、上記三人称視点ＶＲシステムの使用方法を対象とし、
上記中継部は、有線又は無線により、上記撮像部で撮像した動画をリアルタイムで上記ヘッドマウントディスプレイに送り出し、
上記ヘッドマウントディスプレイに映し出された自分自身の映像を見ながら上記使用者が瞑想を行う構成とする。
【００１９】
上記の構成によると、非透過型のヘッドマウントディスプレイを用いたＶＲ技術特有の没頭感を利用しつつ、自分自身の姿を見ながら瞑想を行うことで、さらなる瞑想の効果が得られる。すなわち、自分自身を他者の視点で見ることで、他者の視点でものを見ることができ、他者理解を深めることで、瞑想の効果が格段に向上する。さらに、ヘッドマウントディスプレイを外したときに、それまで見ていた映像との違いを体感することで、普段見ている映像とのズレを理解することができる。
【００２０】
第４の発明では、第３の発明において、
上記使用者は、ゼロ磁場コイルと、該ゼロ磁場コイルに電気的に繋がる基板と、該ゼロ磁場コイル及び基板を覆うと共に該基板に電気的に繋がる金属製筐体とを有する特定周波数発生装置を握った状態で瞑想を行う構成とする。
【００２１】
上記の構成によると、上記使用者が内部の基板と繋がった金属製筐体と肌で触れることにより、身体の情報が電気の流れを通して筐体内のゼロ磁場コイルに送り込まれ、情報のゼロ化（アース）が起こるので、さらに効果的に瞑想を行える。
【００２２】
第５の発明では、頭部に装着した被施術者に映像を見せる非透過型のヘッドマウントディスプレイと、
少なくとも上記ヘッドマウントディスプレイを装着した被施術者を含む動画を撮像する撮像部と、
上記撮像部で撮像した動画を上記ヘッドマウントディスプレイに送る中継部とを備えた三人称視点ＶＲシステムを対象とする。
【００２３】
そして、上記中継部は、有線又は無線により、上記撮像部で撮像された施術中の上記被施術者の動画をリアルタイムで上記ヘッドマウントディスプレイに送り出すように構成されている。
【００２４】
すなわち、鍼治療、鍼灸治療、整体などで背中を施術してもらっているときに、被施術者は、うつぶせ等の姿勢になってその施術の様子を見ることができない。しかし、上記の構成によると、うつぶせ等になった状態でも、自分の背中に対する施術の様子を施術者の視点で見ることができる。これにより、被施術者は、自分の体のどこが悪いかを理解することができ、そのことで施術の効果が格段に向上する。
【００２５】
第６の発明では、第１の発明において、
複数の障害物、上記撮像部及び上記中継部が配置された部屋を準備し、
上記撮像部で上記部屋内を撮像した状態で、上記ヘッドマウントディスプレイを装着した少なくとも一人の使用者が該ヘッドマウントディスプレイに映し出された自分自身の映像を見ながら上記部屋のスタート地点からゴール地点まで移動する。
【００２６】
上記の構成によると、スタート時点からゴール時点に移動するために、ヘッドマウントディスプレイを装着しないときの普段の視覚に頼るのではなく、撮像部からの映像に頼ることで、普段と異なる新鮮な感覚を味わえると共に、三人称視点を容易に体験できる。
【００２７】
第７の発明では、第１の発明において、
上記撮像部及び上記中継部が配置された部屋を準備し、
上記撮像部で上記部屋内を撮像した状態で、上記ヘッドマウントディスプレイを装着した複数の使用者が該ヘッドマウントディスプレイに映し出された自分自身の映像を見た状態でコミュニケーションを取りながら協働で同じ作業を行う。
【００２８】
上記の構成によると、撮像部の映像を頼りに、部屋全体における自分自身や他者の位置を確認しながら、コミュニケーションを取って協働で、例えば物を手渡す、手を繋いで輪になる、汽車のように連なって移動するなどの、主催者などから指定された同じ作業を行うことにより、コミュニケーションにおける客観的な視点を獲得できる。
【００２９】
第８の発明では、
第１ＶＲ動画を撮像可能な第１カメラと、該第１ＶＲ動画を送信する第１通信部を有すると共に、頭部に装着した第１使用者に受信した映像を見せる非透過型の第１ヘッドマウントディスプレイと、
第２ＶＲ動画を撮像可能な第２カメラと、該第２ＶＲ動画を送信する通信部を有すると共に、頭部に装着した第２使用者に受信した映像を見せる非透過型の第２ヘッドマウントディスプレイとを準備し、
上記第２ＶＲ動画を中継部を介して第１ヘッドマウントディスプレイに表示する共に、上記第１ＶＲ動画を上記中継部を介して第２ヘッドマウントディスプレイに表示した状態で、
上記第１ヘッドマウントディスプレイを装着した上記第１使用者と、上記第２ヘッドマウントディスプレイを装着した上記第２使用者とが互いにコミュニケーションを取りながら、提示された共通の課題を行う。
【００３０】
ここで、共通の課題とは、主催者等が指示した、互いに握手する、地面に置いたペットボトルを一方の使用者が他方の使用者の指示で手に取る、など自分の目では簡単な作業を「他者の視点のみで行動しなければならない状況」で行う。上記の構成によると、視界以外の五感は正常なままで「視界のみが反転される状態」となり、意識に混乱が起きる。この意識の混乱状態から他人の視点を見出し、受け入れ、三人称視点に基づいて行動するというプロセスが三人称視点の獲得に有効に作用する。
【発明の効果】
【００３１】
以上説明したように、三人称視点ＶＲシステムを使用することにより、三人称視点ＶＲを容易に体験できる。
【図面の簡単な説明】
【００３２】
【図１】本発明の実施形態１に係る三人称視点ＶＲシステムの概要を示す平面図である。
【図２】コミュニケーションプラットフォームを説明するための概要図である。
【図３】本発明の実施形態２に係る三人称視点ＶＲシステムを用いた瞑想方法を示す概要図である。
【図４】本発明の実施形態３に係る三人称視点ＶＲシステムを用いて被施術者を施術する様子を示す概要図である。
【図５】本発明の実施形態４に係る三人称視点ＶＲシステムを用いて輪になるアクティビティを行う様子を示す概要図である。
【図６】本発明の実施形態４に係る三人称視点ＶＲシステムを用いて輪をくぐるアクティビティを行う様子を示す概要図である。
【図７】本発明の実施形態４に係る三人称視点ＶＲシステムを用いて汽車状に連結するアクティビティを行う様子を示す概要図である。
【図８】本発明の実施形態４に係る三人称視点ＶＲシステムを用いたアクティビティにおいて、汽車状に連結された状態を示す概要図である。
【発明を実施するための形態】
【００３３】
以下、本発明の実施形態を図面に基づいて説明する。
【００３４】
（実施形態１）
−三人称視点ＶＲシステムの構成−
図１は本発明の実施形態１の三人称視点ＶＲシステム１を用いたアクティビティを行うための会場を示す平面図である。
【００３５】
例えば、会場としてドア２で閉じられた部屋３を用意する。この部屋３内には、他にアクティビティを行う、複数の他者４ａ，４ｂ，…がいる。空間内には、仕切り５ａ、机５ｂ、椅子５ｃ、飾り物５ｄなどを適宜配置する。
【００３６】
使用者１０や他者４ａ，４ｂ，…は、ヘッドマウントディスプレイ１１を頭部に装着する。詳しくは図示しないが、ヘッドマウントディスプレイ１１は、少なくとも通信機能、表示部、バッテリ、ゴーグル本体等を有し、ゴーグル本体は、カバーで覆われており、外界と遮断されている非透過型（没入型）のものであることが望ましい。本実施形態では、例えば、インターネットに接続可能で表示部を有するスマートフォンがゴーグル本体に内蔵されたものを想定する。スマートフォンは、インターネット回線を利用してライブ中継を受信した状態とし、ゴーグル本体には、このスマートフォンの表示部を近距離で立体的に見れるようにレンズユニットが設けられている。
【００３７】
部屋３内には、撮像部としてのカメラ１２が配置されている。カメラ１２は、少なくともヘッドマウントディスプレイ１１を装着した使用者１０を含む動画を撮像可能であり、例えば、３６０°の立体動画を撮影可能なＶＲカメラが望ましい。カメラ１２は部屋３全体が映る場所に１台設けてもよいし、異なる箇所に複数台設けてもよい。
【００３８】
カメラ１２には、例えば、中継部としてのＰＣ１３が接続されている。カメラ１２とＰＣ１３との間の通信は有線でも無線でもよい。ＰＣ１３は、中継部としてのインターネットに接続されており、カメラ１２で撮影された動画は、インターネットライブ中継に送信される。
【００３９】
そして、ヘッドマウントディスプレイ１１の一部を構成するスマートフォンがインターネットライブ中継を受信することにより、使用者１０は、カメラ１２で撮像した動画（３Ｄ動画）をリアルタイムで見ることができるようになっている。使用者１０は、ヘッドマウントディスプレイ１１が装着された頭の向きを変えると、カメラ１２で撮像した３Ｄ動画を好みの方向から見ることができるようになっている。
【００４０】
−三人称視点ＶＲシステムの使用方法−
次に、本実施形態に係る三人称視点ＶＲシステム１の使用方法について説明する。
【００４１】
まず、会場設定者は、参加者が知らない部屋３を設定する。例えば、迷路のように部屋３を設定してもよい。そして、なるべく、その空間にある程度の他者４ａ，４ｂ，…がいるようにする。
【００４２】
また、カメラ１２を起動し、部屋３内を撮影する。少なくともカメラ１２が１台あれば、部屋３内を３６０°撮影できる。場合によって、設定者側で図１にＡ〜Ｄで示すように、カメラ１２の向きを変えたり、カメラ１２の位置を変えたりしてもよい。
【００４３】
そして、ＰＣ１３は、インターネット回線を利用してカメラ１２で撮像した動画をインターネットライブ中継に送信する。
【００４４】
使用者１０は、インターネットライブ中継を受信できるように設定したヘッドマウントディスプレイ１１を頭部に装着し、ドア２から部屋３内に入る。使用者１０は、ヘッドマウントディスプレイ１１の映像に集中し、ヘッドマウントディスプレイ１１を外して下方などから自分の目を通して直接部屋３や自分自身を見たり、周りを触ったりしないようにして、ヘッドマウントディスプレイ１１に映し出された自分自身の映像等を見ながら部屋３内をスタート時点からゴール時点まで移動する。
【００４５】
このとき、他者４ａ，４ｂ，…も同様にアクティビティを行う。
【００４６】
−三人称視点ＶＲシステムの作用効果−
以上説明したように、人間は、自分自身の目による視覚情報をもとに自分自身の体を感じながら自分自身を動かすことに慣れている。
【００４７】
しかし、本実施形態では、自分自身の目を通してではなく、インターネットを介して中継されるカメラ１２からの映像に基づいて自分自身の体を見て動かすことになる。
【００４８】
カメラ１２（他者）の視点で自分自身を見ると、自分の目で見た自分や、鏡で見た自分とは異なって見える。また、他者の視点で自分自身を動かすことにより、画面上のキャラクターを動かすのではなく、自分自身を動かすことに対して新鮮な感覚を味わえる。
【００４９】
図２に示すように、Ｃｏｍｍｕｎｉｃａｔｉｏｎ  Ｐｌａｔｆｏｒｍ（コミュニケーションプラットフォーム）は、他者とのコミュニケーションを前提として、自己意識を４つの階層からなる５つの領域、すなわち、超越自己、理想自己、主体自己、客体自己（複数）、自己内他者（複数）で説明する自己意識モデルである。この自己意識モデルを使って、自己の意識状態を自分自身の言葉で表現することで、自己理解が飛躍的に深まる。
【００５０】
自己意識の概要を、コミュニケーションプラットフォームを通して認知したとき、自己意識の変容が始まる。自己意識の変化は、他者理解の変化へと繋がり、スパイラルな意識変化の循環が形成される。コミュニケーションプラットフォームは変容する自己意識、言い換えれば自己意識の進化を支援する機能を持っている。
【００５１】
そこで、本実施形態では、第１段階として、撮像された映像を見る場合を考える。これは、他人の視点から自分以外のものを見る行為である。
【００５２】
第２段階として、本実施形態のように、三人称視点ＶＲシステム１を使用して三人称視点で自分自身を含む動画を見る。
【００５３】
第３段階として、三人称視点ＶＲシステム１によって三人称視点で自分自身を認識する。
【００５４】
第４段階で、複数の他者の中にいる自分を三人称視点で見る。
【００５５】
第５段階として、ヘッドマウントディスプレイ１１を外したときの自分の目で見た映像と、三人称視点ＶＲシステム１で見た映像との違いを認識し、ヘッドマウントディスプレイ１１を外した状態でも三人称視点で自分自身を認識できるようになる。これにより、自己意識を進化させることができる。
【００５６】
そして、本実施形態では、ヘッドマウントディスプレイ１１の台数が増えても、インターネット中継を用いているので、無線ＬＡＮを用いる場合のように通信状態が悪化するようなことはない。さらに、インターネット中継による多少の時間差により、アクティビティを行う上で普段とは異なる感覚を味わえる。
【００５７】
なお、カメラ１２を複数設け、スイッチング機能により複数のカメラ１２のうちいずれかのカメラ１２による動画をヘッドマウントディスプレイ１１に映し出すように切り換えるようにしてもよい。このようにすれば、広範囲の撮影が可能となり、より充実したアクティビティを楽しむことができる。
【００５８】
したがって、本実施形態に係る三人称視点ＶＲシステム１によると、三人称視点ＶＲを容易に体験することができ、普段と異なる新鮮な感覚を味わえる。
【００５９】
（実施形態２）
図３は本発明の実施形態２に係る三人称視点ＶＲシステム１０１を示し、使用者１１０が座禅等を行った静止した状態で三人称視点ＶＲシステム１０１を使用する点で上記実施形態１と異なる。なお、以下の各実施形態では、図１及び図２と同じ部分については同じ符号を付してその詳細な説明は省略する。
【００６０】
本実施形態の三人称視点ＶＲシステム１０１の使用方法では、使用者１１０が瞑想時にヘッドマウントディスプレイ１１を利用する。
【００６１】
カメラ１２は、瞑想を行う部屋に配置する。鏡を前に、前方の自分を客観視しながら瞑想するといった方法は存在するが、特に後方（背中側）に配置することで普段目にすることができない後方の自分を見ながら瞑想を行うことができる。カメラ１２を複数台設けて動画を切り換えるようにしてもよい。瞑想は一人で行ってもよいし、同じ部屋で複数の他者と同時に瞑想を行ってもよい。
【００６２】
中継部１１３は、有線又は無線により、カメラ１２で撮像した動画をリアルタイムでヘッドマウントディスプレイ１１に送り出す。この場合は、実施形態１のようにインターネットライブ中継を介することなく中継部１１３によってカメラ１２の動画をヘッドマウントディスプレイ１１にリアルタイムで送信してもよい。無線としては、公知の無線ＬＡＮを用いれば時間差なく映像を見ることができる。
【００６３】
このような状態で、使用者１１０は、ヘッドマウントディスプレイ１１に映し出された自分自身の映像を見ながら瞑想を行う。これにより、単に自分自身の姿勢のチェックをできるだけでなく、非透過型のヘッドマウントディスプレイ１１を用いたＶＲ技術特有の没頭感を利用しつつ、自分自身の姿を見ながら瞑想を行うことによる、さらなる瞑想の効果が得られる。すなわち、自分自身を他者の視点で見ることで、他者の視点でものを見ることができ、他者理解を深めることで、瞑想の効果が格段に向上する。さらに、ヘッドマウントディスプレイ１１を外したときに、それまで見ていた映像との違いを体感することで、普段見ている映像とのズレを理解することができる。
【００６４】
また、例えば、特定周波数発生装置１１６を手に握った状態で、この特定周波数発生装置１１６から言語周波数をもとにした疎密波よりなる特定低周波数を高速で発信させながら三人称視点ＶＲシステム１０１を使用すると、さらに効果が得られる。例えば、この「特定低周波数」の基本周波数は、例えば、６〜５０Ｈｚの疎密波よりなり、特定周波数発生装置１１６では、これを例えば約１４００倍の高速で、平均３５ｋＨｚの周波数レンジで発信している。この速度は特に１４００倍に限定されないが、発信速度が高くなると、発信情報量が増えて有利である。また、この特定低周波数を幾重にも重ねた音楽を聴きながら、瞑想を行ってもよい。図３に示すような、手に握るタイプの特定周波数発生装置１１６を握ることで、内部の基板１１６ａと繋がったチタンなどの金属製筐体１１６ｂに肌が触れ、身体の情報が電気の流れを通して金属製筐体１１６ｂ内のゼロ磁場コイル１１６ｃに送り込まれ、情報のゼロ化（アース）が起こる。これにより、さらに効果的に瞑想を行える。なお、特定周波数発生装置１１６は、電磁波除去装置であるプラグインアースを接続した状態で使用してもよく、そうすればさらなるアース効果が発揮される。
【００６５】
したがって、本実施形態に係る三人称視点ＶＲシステム１０１においても、三人称視点ＶＲを容易に体験でき、極めて効果的な瞑想を行える。
【００６６】
（実施形態３）
図４は本発明の実施形態３に係る三人称視点ＶＲシステム２０１を示し、主として使用する目的が異なる点で実施形態２と異なる。
【００６７】
本実施形態では、鍼治療、鍼灸治療、整体などで背中を施術してもらっている被施術者２１０がヘッドマウントディスプレイ１１を装着した状態で施術用ベッド２１５にうつぶせになる。例えば、施術用ベッド２１５の頭部に図示しない大きめの開口部があると、ヘッドマウントディスプレイ１１が邪魔をせずにうつぶせの姿勢を楽にとることができる。なお、被施術者２１０は座位や立位で施術を受けてもよい。
【００６８】
そして、カメラ１２を施術用ベッド２１５の周辺の壁などに設置しておく。このカメラ１２により、ヘッドマウントディスプレイ１１を装着した被施術者２１０を含む動画を撮像する。
【００６９】
このカメラ１２で撮像した動画は、中継部２１３によって中継されてヘッドマウントディスプレイ１１にリアルタイムに送信される。中継部２１３は、カメラ１２に含まれていてもよいし、ヘッドマウントディスプレイ１１自身が備えていてもよい。中継方法は、無線でもよいし、動きが少ないことから有線でもよい。無線としては、公知の無線ＬＡＮを用いれば、時間差なしで映像を見ることができる。
【００７０】
本実施形態においても、上記実施形態２のように、手に特定周波数発生装置１１６を握った状態で施術を受けてもよいし、施術用ベッド２１５の周辺に特定低周波数を高速で発生させる特定周波数発生装置２１６を置いて特定低周波数を発生させた状態で施術を受けてもよい。こうすれば、心が落ち着いた状態で施術を受けることができ、施術効果が向上する。また、施術者２１４も心が落ち着いた状態で施術に集中できる。
【００７１】
このように、鍼治療、鍼灸治療などで背中を施術してもらっているときには、被施術者２１０は、うつぶせ等の姿勢になってその施術の様子を見ることができない。
【００７２】
しかし、本実施形態では、うつぶせ等になった状態で、自分の背中に対する施術の様子を施術者２１４の視点で見ることができる。
【００７３】
これにより、被施術者２１０は、自分の体のどこをどのように治療されているのかを理解することができ、そのことで施術の効果が格段に向上する。
【００７４】
また、鍼治療、整体などの施術技術を有する被施術者２１０であれば、実施形態２のような姿勢で自分の手の届かない背中を見ながら、調子の悪いところを自分で施術をするイメージを行って擬似的な施術をすることにより、実際に施術を受けたような効果を得ることもできる。
【００７５】
したがって、本実施形態に係る三人称視点ＶＲシステム２０１においても、三人称視点ＶＲを容易に体験でき、極めて効果的に施術を行うことができる。
【００７６】
（実施形態４）
図５〜図８は本発明の実施形態４に係る三人称視点ＶＲシステム３０１を使用したアクティビティを行う様子を示す。本実施形態の三人称視点ＶＲシステム３０１も、上記実施形態１と同様に、部屋３０３に設置した３６０°視点中継カメラ（カメラ１２）を用い、このカメラ１２が中継部３１３に接続されている。中継部３１３の構成は、上記実施形態１と同様でよく、インターネット回線を用いても、ＬＡＮ回線を用いてもよい。
【００７７】
本実施形態では、非透過型のヘッドマウントディスプレイ１１を装着した複数の使用者が協働で１つのアクティビティを行う点で、上記各実施形態とは異なる。
【００７８】
具体的には、複数のヘッドマウントディスプレイ１１を装着した使用者３１０たちのいる部屋３０３に置いてある３６０°視点中継カメラ（カメラ１２）の映像を、使用者それぞれがヘッドマウントディスプレイ１１を通して見る。この共有している同じ視点とは、例えば、チームとして誰かと動くときの、チームのリーダーの視点といえる。例えば、会社であれば社長の視点であり、スポーツであれば監督の視点である。その共有された視点で、同じ目的に向かって、１つのことをチーム全体を動かして集団で成し遂げるアクティビティとなる。
【００７９】
具体的なアクティビティは、主催者等からその都度指定されるが、例えば、ヘッドマウントディスプレイ１１に映し出される映像を頼りに、図５に示すように、全員で手を繋いで１つの輪になる試みがある。没入型のヘッドマウントディスプレイ１１を装着しているので、自己の位置、他者の位置を自己の視点ではなく、カメラ１２の視点から確認しながら手探りで行っている様子が分かる。
【００８０】
また、図６に示すように、背中合わせで輪になった後、その状態で特定の二人の間をくぐるアクティビティがある。図示されない位置に置いたカメラ１２からの視点で自己の位置、他者の位置を確認しながら行う必要があり、他者とコミュニケーションを取りながら移動しないと、行うことができない。
【００８１】
さらに、図７に示すように、移動する中継カメラの映像を俯瞰的に見ながら、全員で汽車のように連結していくことを試みるアクティビティがある。カメラ１２を持つアクティビティ主催者３０２がカメラ１２を持って移動する。最終的に、図８に示すように、このアクティビティ主催者３０２に参加者全員が連なることを目指す。最初は、自分自身がカメラ１２に対してどの位置にいるのか、他者に対してどの位置にいるのかを把握するのに時間がかかる。
【００８２】
このように、各使用者３１０は、非透過型（没入型）のヘッドマウントディスプレイ１１を装着しているので、自己の視点から自分に位置等を確認することができず、カメラ１２で映し出された共通の３Ｄ映像から各アクティビティを行う必要がある。普段の生活では、主に視覚に頼って行動するので、このアクティビティを行う場合には、使用者３１０同士でコミュニケーションを取りながら協力して１つのことをなす必要がある。カメラ１２の映像を頼りに、部屋３０３全体における自分自身の位置、他者の位置を客観視しないと、全く行動ができない。また、タイムラグがある場合には、コミュニケーションの必要性がさらにアップする。コミュニケーションを行うことで、心が通じ合う、という現象が起こる。
【００８３】
本実施形態では、自己と他者とで共通する「三人称視点」を設定し、この三人称視点を共有しながら、集団で１つの目標を達成する。その集団としての姿は、まさに家族であり、あるいは仕事におけるチームそのものといえる。
【００８４】
このアクティビティにより、「自我」「私」という存在への客観視が生まれる。つまり、「三人称視点」という客観的視点である。また、共通の視点を見てアクティビティを行うため、自己と他者、又は集団の間に「共通の視点がある」という確信を持つことができる。これによって、コミュニケーションにおける重要な客観的視点を獲得することができる。
【００８５】
このようなアクティビティを企業研修で行えば、集団で自己の視点を離れたコミュニケーションスキルを短時間で習得できる。また、他者との共同作業を行う中で、自分が正しいという思い込みを外すためのトレーニングが行える。
【００８６】
（その他の実施形態）
本発明は、実施形態について、以下のような構成としてもよい。
【００８７】
すなわち、実施形態では、ヘッドマウントディスプレイ１１にスマートフォンを装着した場合について説明したが、ヘッドマウントディスプレイ１１そのものが通信機能を有していてもよく、また、中継部１３，１１３，２１３，３１３がカメラ１２やヘッドマウントディスプレイ１１に設けられていてもよい。
【００８８】
上記実施形態１において、インターネット回線を利用して中継を行う方法を示したが、実施形態２及び３のような無線ＬＡＮ回線を用いてもよいし、場合によっては有線通信を用いてもよい。また、上記実施形態１及び４において、部屋３に特定周波数発生装置２１６を置いて特定低周波数を発生させた状態でアクティビティを行ってもよいし、使用者１０が特定周波数発生装置１１６を手に握ったり、首にかけたりした状態でアクティビティを行ってもよい。これにより、アクティビティを楽しめるだけでなく、自己意識の進化もさらに期待できるようになる。
【００８９】
また、上記実施形態１〜４の三人称視点ＶＲシステムは、これらの実施形態以外のアクティビティ、スポーツ、演劇等にも応用可能である。要するに自分自身の体の動きを他者の視点で把握することで、これらのアクティビティ等における動きの改善等も効果的に行える。
【００９０】
本発明の応用として、以下のような実施形態も考えられる。この場合は、カメラ１２ではなく、それぞれの使用者が装着したヘッドマウントディスプレイのカメラを用いる。これにより、「他者の視点（三人称視点）のみで行動しなければならない状況」を簡単に作り出せる。
【００９１】
具体的には、第１ＶＲ動画を撮像可能な第１カメラと、該第１ＶＲ動画を送信する第１通信部を有すると共に、頭部に装着した第１使用者に受信した映像を見せる非透過型の第１ヘッドマウントディスプレイと、第２ＶＲ動画を撮像可能な第２カメラと、該第２ＶＲ動画を送信する通信部を有すると共に、頭部に装着した第２使用者に受信した映像を見せる非透過型の第２ヘッドマウントディスプレイとを準備し、上記第２ＶＲ動画を中継部を介して第１ヘッドマウントディスプレイに表示する共に、上記第１ＶＲ動画を上記中継部を介して第２ヘッドマウントディスプレイに表示した状態で、上記第１ヘッドマウントディスプレイを装着した上記第１使用者と、上記第２ヘッドマウントディスプレイを装着した上記第２使用者とが互いにコミュニケーションを取りながら、提示された共通の課題を行う三人称視点ＶＲシステムの使用方法である。
【００９２】
ここで、共通の課題とは、主催者等が指示した、互いに握手する、地面に置いたペットボトルを一方の使用者が他方の使用者の指示で手に取る、など自分の目では簡単な作業を「他者の視点のみで行動しなければならない状況」で行う。
【００９３】
そして、上記三人称視点ＶＲシステムの使用方法において、上記第１ヘッドマウントディスプレイに、上記第１カメラを有すると共に、上記中継部と通信可能な第１携帯端末機を装着し、上記第２ヘッドマウントディスプレイに、上記第２カメラを有すると共に、上記中継部と通信可能な第２携帯端末機を装着し、上記第１使用者は、上記第２使用者の指示で上記第１カメラでＶＲ動画を撮像しながら、該第２使用者が撮像されるようにし、又は、上記第２使用者は、上記第１使用者の指示で上記第２カメラでＶＲ動画を撮像しながら、該第１使用者が撮像されるようにしながら、上記共通の課題を行う。
【００９４】
この場合、携帯端末機は、例えば、通信可能なスマートフォンであり、そのビデオ通話アプリを使用することができる。具体的な手順は、まず、スマートフォンを２台用意し、ビデオ通話アプリで２台のスマートフォンをビデオ通話可能な状態にし、スマートフォンの背面カメラ（自分が映らない側）に切り換え、ハウリング防止のために消音モードに切り換え、ヘッドマウントディスプレイにスマートフォンをセットし、ヘッドマウントディスプレイを被ってペアとなるスマートフォンの視点であることを確認する。この後、主催者等の指示で二人で共通の課題を行う。
【００９５】
このような状況でペアになってアクティビティを行うことで、でこぼこペアになったり、逆に連携の取れたペアになったり、普段仕事で一緒になっているペアと行うと、仕事で起きているコミュニケーションエラーが出るなど、仕事における人間関係の回路の最適化に役立つことが分かる。
【００９６】
この使用方法は、第１ＶＲ動画を撮像可能な第１カメラと、該第１ＶＲ動画を送信する第１通信部を有すると共に、頭部に装着した第１使用者に受信した映像を見せるように制御する第１コンピュータを有する非透過型の第１ヘッドマウントディスプレイと、第２ＶＲ動画を撮像可能な第２カメラと、該第２ＶＲ動画を送信する通信部を有すると共に、頭部に装着した第２使用者に受信した映像を見せるように制御する第１コンピュータを有する非透過型の第２ヘッドマウントディスプレイと、上記第１ヘッドマウントディスプレイ及び第２ヘッドマウントディスプレイと通信可能な中継部とを有する三人称視点ＶＲシステムを制御するプログラムで行うことができる。
【００９７】
このプログラムは、上記第１コンピュータに、上記第１ＶＲ動画を上記第１カメラによって撮像させ、該第１ＶＲ動画を上記中継部に送信し、上記第２ＶＲ動画を該中継部を介して受信すると共に、上記第１ヘッドマウントディスプレイにリアルタイムに表示させる共に、上記第２コンピュータに、上記第２ＶＲ動画を上記第２カメラによって撮像させ、該第２ＶＲ動画を上記中継部に送信し、上記第１ＶＲ動画を該中継部を介して受信すると共に、上記第２ヘッドマウントディスプレイにリアルタイムに表示させるものである。
【００９８】
この場合、まず、スマートフォンを２台用意し、上記プログラムを含む視点交換アプリを立ち上げ２台のスマートフォンを接続し、各ヘッドマウントディスプレイにスマートフォンをセットし、ヘッドマウントディスプレイを被ってペアとなるスマホの視点であることを確認した上で、主催者等の指示で共通の課題を行う。
【００９９】
このアプリは一対一だけではなく、複数人数でも視点交換が可能である。例えば５人で行う場合、５人の中の誰かの視点を持っているという状態を作り、それが誰の視点なのか当てるといったアクティビティが可能になる。また、その視点をボタン１つでランダムに切り換えることで、より複数の視点の、他者の視点を認識することができるようになる。
【０１００】
このように、各使用者がスマートフォンで専用の視点交換ＶＲアプリを立ち上げ、それぞれのヘッドマウントディスプレイにセットするだけで簡単に相手の視点と私の視点を入れ替える、完全に他者の視点のみを見て行動しなければならない状態を作り出すことができる。視界以外の五感は正常なままで「視界のみが反転される状態」となり、意識に混乱が起きる。この意識の混乱状態から他者の視点を見出し、受け入れ、他者視点に基づいて行動するというプロセスが「他者視点」（すなわち、三人称視点）の獲得に有効に作用する。
【０１０１】
このアクティビティでは、他者の視点を自分の力で変えることはできず、他者の視点に従う以外の選択肢はないことを体験することができる。言い換えれば、「他者を１００％尊重しないといけない状況」へと置かれる。それによって自ずと他者理解が起こり、今まで獲得したことがなかった他者視点を獲得することになる。また、言葉でコミュニケーションを取らないと、自分のヘッドマウントディスプレイに映っている視点が誰の視点であるのかが分からないので、必然的にコミュニケーションすることが促される。
【０１０２】
なお、以上の実施形態は、本質的に好ましい例示であって、本発明、その適用物や用途の範囲を制限することを意図するものではない。
【符号の説明】
【０１０３】
１      三人称視点ＶＲシステム
２      ドア
３      部屋
４ａ，４ｂ，…    他者
５ｂ    机
５ｃ    椅子
５ｄ    飾り物
１０      使用者
１１      ヘッドマウントディスプレイ
１２      カメラ（撮像部）
１３      ＰＣ（中継部）
１０１      三人称視点ＶＲシステム
１１０      使用者
１１３      中継部
１１６      特定周波数発生装置
１１６ａ    基板
１１６ｂ    金属製筐体
１１６ｃ    ゼロ磁場コイル
２０１      三人称視点ＶＲシステム
２１０      被施術者
２１３      中継部
２１４      施術者
２１５      施術用ベッド
２１６      特定周波数発生装置
３０１      三人称視点ＶＲシステム
３０２      アクティビティ主催者
３０３      部屋
３１０      使用者
３１３      中継部
【図１】
2020061118.tif 000003
【図２】
2020061118.tif 000004
【図３】
2020061118.tif 000005
【図４】
2020061118.tif 000006
【図５】
2020061118.tif 000007
【図６】
2020061118.tif 000008
【図７】
2020061118.tif 000009
【図８】
2020061118.tif 000010
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法であって、
上記中継部は、有線又は無線により、上記撮像部で撮像した動画をリアルタイムで上記ヘッドマウントディスプレイに送り出し、
上記ヘッドマウントディスプレイに映し出された自分自身の映像を見ながら上記使用者が瞑想を行い、
上記使用者は、ゼロ磁場コイルと、該ゼロ磁場コイルに電気的に繋がる基板と、該ゼロ磁場コイル及び基板を覆うと共に該基板に電気的に繋がる金属製筐体とを有する特定周波数発生装置を握った状態で瞑想を行う
ことを特徴とする三人称視点ＶＲシステムの使用方法。
【請求項２】
頭部に装着した被施術者に映像を見せる非透過型のヘッドマウントディスプレイと、
少なくとも上記ヘッドマウントディスプレイを装着した被施術者を含む動画を撮像する撮像部と、
上記撮像部で撮像した動画を上記ヘッドマウントディスプレイに送る中継部とを備えた三人称視点ＶＲシステムであって、
上記中継部は、有線又は無線により、上記撮像部で撮像された施術中の上記被施術者の動画をリアルタイムで上記ヘッドマウントディスプレイに送り出すように構成されていることを特徴とする三人称視点ＶＲシステム。
【請求項３】
頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法であって、
複数の障害物、上記撮像部及び上記中継部が配置された部屋を準備し、
上記中継部は、インターネット回線等の通信回線を利用して上記撮像部で撮像した動画をリアルタイムで上記ヘッドマウントディスプレイに送り出し、
上記撮像部で上記部屋内を撮像した状態で、上記ヘッドマウントディスプレイを装着した少なくとも一人の使用者が該ヘッドマウントディスプレイに映し出された自分自身の映像を見ながら上記部屋のスタート地点からゴール地点まで移動する
ことを特徴とする三人称視点ＶＲシステムの使用方法。
【請求項４】
頭部に装着した使用者に映像を見せる非透過型のヘッドマウントディスプレイと、
少なくとも上記ヘッドマウントディスプレイを装着した使用者を含む動画を撮像する撮像部と、
上記撮像部で撮像した動画を上記ヘッドマウントディスプレイに送る中継部とを備えた三人称視点ＶＲシステムの使用方法であって、
上記撮像部及び上記中継部が配置された部屋を準備し、
上記中継部は、インターネット回線等の通信回線を利用して上記撮像部で撮像した動画をリアルタイムで上記ヘッドマウントディスプレイに送り出し、
上記撮像部で上記部屋内を撮像した状態で、上記ヘッドマウントディスプレイを装着した複数の使用者が該ヘッドマウントディスプレイに映し出された自分自身の映像を見た状態でコミュニケーションを取りながら協働で同じ作業を行う
ことを特徴とする三人称視点ＶＲシステムの使用方法。
【請求項５】
第１ＶＲ動画を撮像可能な第１カメラと、該第１ＶＲ動画を送信する第１通信部を有すると共に、頭部に装着した第１使用者に受信した映像を見せる非透過型の第１ヘッドマウントディスプレイと、
第２ＶＲ動画を撮像可能な第２カメラと、該第２ＶＲ動画を送信する通信部を有すると共に、頭部に装着した第２使用者に受信した映像を見せる非透過型の第２ヘッドマウントディスプレイとを準備し、
上記第２ＶＲ動画を中継部を介して第１ヘッドマウントディスプレイに表示する共に、上記第１ＶＲ動画を上記中継部を介して第２ヘッドマウントディスプレイに表示した状態で、
上記第１ヘッドマウントディスプレイを装着した上記第１使用者と、上記第２ヘッドマウントディスプレイを装着した上記第２使用者とが互いにコミュニケーションを取りながら、すなわち、上記第１使用者は、上記第２使用者の指示で上記第１カメラでＶＲ動画を撮像しながら、該第２使用者が撮像されるようにし、又は、上記第２使用者は、上記第１使用者の指示で上記第２カメラでＶＲ動画を撮像しながら、該第１使用者が撮像されるようにしながら、提示された共通の課題を行う
ことを特徴とする三人称視点ＶＲシステムの使用方法。